(57)【要約】【課題】固定具がスリーブにしっかり固定されて離脱するようなことがなく、型枠への貫通孔形成スリーブの固定が確実に行われ、一方、コンクリート打設後は、固定具の取り外しが簡単にできるスリーブ固定具を提供する。【解決手段】内側保持片２は、周壁内側ＳＷに係止して、固定具１０がスリーブＳから離脱する方向に移動するのを規制する係止部３を備え、係止部３は、その先端側に周壁内側ＳＷに突き刺さる突刺部４を備え、内側保持片２には、また、型枠Ｋが除去されて露出した開口端ＳＥから工具を差し入れて操作することで、突刺部４の突刺状態を解除する解除部５が開口端ＳＥに臨むように設けられている【選択図】図１
2010174525.tif 000002
【特許請求の範囲】
【請求項１】
コンクリート壁に貫通孔を形成するための、両端に開口した中空筒状の貫通孔形成スリーブを、型枠に固定するためのスリーブ固定具であって、
前記固定具は、型枠に固定するための固定部と、前記スリーブの開口端の周壁内側に沿って前記固定部から延設され、前記固定具を前記開口端に保持するための内側保持片とを備え、
前記内側保持片は、前記周壁内側に係止して、前記固定具が前記スリーブから離脱する方向に移動するのを規制する係止部を備え、
前記係止部は、その先端側に前記周壁内側に突き刺さる突刺部を備え、
前記内側保持片には、型枠が除去されて露出した前記開口端から工具を差し入れて操作することで、前記突刺部の突刺状態を解除する解除部が前記開口端に臨むように設けられているスリーブ固定具。
【請求項２】
内側保持片は、先端側から基端側に向かうにつれて貫通孔形成スリーブの周壁内側から離れており、前記内側保持片と前記周壁内側との間に解除部が設けられている請求項１記載のスリーブ固定具。
【請求項３】
解除部は、貫通孔形成スリーブの周壁内側と内側保持片との間に形成される、工具を差し入れ可能な挿入空間である請求項１または２記載のスリーブ固定具。
【請求項４】
突刺部は一対設けられ、前記一対の突刺部の間に解除部が設けられている請求項１から３のいずれか記載のスリーブ固定具。
【請求項５】
突刺部の基端が内側保持片の先端である請求項１から４のいずれか記載のスリーブ固定具。
【請求項６】
スリーブ固定具は、貫通孔形成スリーブの開口端の周壁を内側保持片との間に挟んで保持する外側保持片を備えている請求項１から５のいずれか記載のスリーブ固定具。
【請求項７】
スリーブ固定具は金属製板により構成され、前記固定部は、内側保持片の中間部分が外側保持片との基端側を連結した状態で打ち抜かれるとともに折り返されて外側保持片に対して直交する方向に延設されており、前記解除部は前記固定部を打ち抜くことにより形成されている請求項６記載のスリーブ固定具。
【請求項８】
外側保持片は平滑面状である請求項６または７記載のスリーブ固定具。
【発明の詳細な説明】
【技術分野】
【０００１】
本発明は、コンクリート壁に貫通孔を形成するための両端に開口した中空筒状の貫通孔形成スリーブを、型枠に固定するためのスリーブ固定具に関する。
【背景技術】
【０００２】
コンクリート壁には、配線・配管材を通すための貫通孔が必要とされる場合があり、その際、ボイド管とも通称される両端に開口した中空筒状の貫通孔形成スリーブを、コンクリートの打設前にスリーブ固定具によって型枠に固定しておき、コンクリートの打設・固化が完了した後、型枠を取り除くと共に、スリーブ固定具も取り外す必要がある。
【０００３】
特許文献１では、型枠にしっかりと貫通孔形成スリーブを固定することができるスリーブ固定具（１）（以下、各文献で用いられている符号をカッコ内に示す。）が提案されているが、この固定具（１）においては、係止爪（４）がスリーブ（１８）の周壁内側に喰い込んでおり、この係止爪（４）の喰い込みを解除するための、スリーブ開口端から見て脚（３）とスリーブ（１８）の周壁内側との間に隙間もないので、固定具（１）を取り外すのは容易ではなかった。
【０００４】
特許文献２では、滑り止め部（４）を備えたスリーブ固定具（１）が提案されている。この固定具（１）においては、滑り止め部（４）はスリーブの周壁内側に喰い込んでいるものではなく、固定具（１）は滑り止め程度にスリーブに取り付けられているので、使用後の固定具（１）の取り外しも不可能ではないと思われるが、他方、固定具のスリーブへの固定がしっかりと確保されず、その結果、型枠へのスリーブの固定の確実性に問題があるように思われた。
【先行技術文献】
【特許文献】
【０００５】
【特許文献１】特開昭６２−１０１９５７号公報（第１図）
【特許文献２】実開平４−１０３９４９号公報（図１）
【発明の概要】
【発明が解決しようとする課題】
【０００６】
本発明は、上記問題を解決しようとするもので、固定具がスリーブにしっかり固定されて離脱するようなことがなく、型枠への貫通孔形成スリーブの固定が確実に行われ、一方、コンクリート打設後は、固定具の取り外しが簡単にできるスリーブ固定具を提供することを目的としている。
【課題を解決するための手段】
【０００７】
請求項１記載のスリーブ固定具は、コンクリート壁に貫通孔を形成するための、両端に開口した中空筒状の貫通孔形成スリーブを、型枠に固定するためのスリーブ固定具であって、
前記固定具は、型枠に固定するための固定部と、前記スリーブの開口端の周壁内側に沿って前記固定部から延設され、前記固定具を前記開口端に保持するための内側保持片とを備え、前記内側保持片は、前記周壁内側に係止して、前記固定具が前記スリーブから離脱する方向に移動するのを規制する係止部を備え、前記係止部は、その先端側に前記周壁内側に突き刺さる突刺部を備え、
前記内側保持片には、型枠が除去されて露出した前記開口端から工具を差し入れて操作することで、前記突刺部の突刺状態を解除する解除部が前記開口端に臨むように設けられていることを特徴とする。
【０００８】
請求項２記載のスリーブ固定具は、請求項１に従属し、内側保持片は、先端側から基端側に向かうにつれて貫通孔形成スリーブの周壁内側から離れており、前記内側保持片と前記周壁内側との間に解除部が設けられていることを特徴とする。
【０００９】
請求項３記載のスリーブ固定具は、請求項１または２に従属し、解除部は、貫通孔形成スリーブの周壁内側と内側保持片との間に形成される、工具を差し入れ可能な挿入空間であることを特徴とする。
【００１０】
請求項４記載のスリーブ固定具は、請求項１から３のいずれかに従属し、突刺部は一対設けられ、前記一対の突刺部の間に解除部が設けられていることを特徴とする。
【００１１】
請求項５記載のスリーブ固定具は、請求項１から４のいずれかに従属し、突刺部の基端が内側保持片の先端であることを特徴とする。
【００１２】
請求項６記載のスリーブ固定具は、請求項１から５のいずれかに従属し、スリーブ固定具は、貫通孔形成スリーブの開口端の周壁を内側保持片との間に挟んで保持する、外側保持片を備えていることを特徴とする。
【００１３】
請求項７記載のスリーブ固定具は、請求項６に従属し、スリーブ固定具は金属製板により構成され、前記固定部は、内側保持片の中間部分が外側保持片との基端側を連結した状態で打ち抜かれるとともに折り返されて外側保持片に対して直交する方向に延設されており、前記解除部は前記固定部を打ち抜くことにより形成されていることを特徴とする。
【００１４】
請求項８記載のスリーブ固定具は、請求項６または７に従属し、外側保持片は平滑面状であることを特徴とする。
【発明の効果】
【００１５】
請求項１記載のスリーブ固定具によれば、コンクリート壁に貫通孔を形成するための、両端に開口した中空筒状の貫通孔形成スリーブを、型枠に固定するためのスリーブ固定具であって、
前記固定具は、型枠に固定するための固定部と、前記スリーブの開口端の周壁内側に沿って前記固定部から延設され、前記固定具を前記開口端に保持するための内側保持片とを備え、前記内側保持片は、前記周壁内側に係止して、前記固定具が前記スリーブから離脱する方向に移動するのを規制する係止部を備え、前記係止部は、その先端側に前記周壁内側に突き刺さる突刺部を備え、
前記内側保持片には、型枠が除去されて露出した前記開口端から工具を差し入れて操作することで、前記突刺部の突刺状態を解除する解除部が前記開口端に臨むように設けられているので、固定具がスリーブにしっかり固定されて離脱するようなことがなく、型枠への貫通孔形成スリーブの固定が確実に行われ、一方、コンクリート打設後は、固定具の取り外しが簡単にできる。
【００１６】
請求項２記載のスリーブ固定具によれば、請求項１の効果に加え、内側保持片は、先端側から基端側に向かうにつれて貫通孔形成スリーブの周壁内側から離れており、前記内側保持片と前記周壁内側との間に解除部が設けられているので、請求項１の効果を発揮する固定具がより具体化される。
【００１７】
請求項３記載のスリーブ固定具によれば、請求項１または２の効果に加え、解除部は、貫通孔形成スリーブの周壁内側と内側保持片との間に形成される、工具を差し入れ可能な挿入空間であるので、請求項１または２記載の効果を発揮する固定具の構成がより具体化される。
【００１８】
請求項４記載のスリーブ固定具によれば、請求項１から３のいずれかの効果に加え、突刺部は一対設けられ、前記一対の突刺部の間に解除部が設けられているので、突刺部によりスリーブからの離脱防止をより確実にすることができると共に、解除部からの一つの工具の操作により、一対の双方の突刺部の解除が可能となる。
【００１９】
請求項５記載のスリーブ固定具によれば、請求項１から４のいずれかの効果に加え、突刺部の基端が内側保持片の先端であるので、突刺部のある内側保持片の先端側から基端側への傾斜部分の長さをより確保でき、解除部をより大きく操作しやすいものとすることができる。
【００２０】
請求項６記載のスリーブ固定具によれば、請求項１から５のいずれかの効果に加え、スリーブ固定具は、貫通孔形成スリーブの開口端の周壁を内側保持片との間に挟んで保持する、外側保持片を備えているので、先に、固定具をスリーブに取り付けた場合でも、固定具がスリーブから離脱するようなことを防ぐことができる。
【００２１】
請求項７記載のスリーブ固定具によれば、請求項６の効果に加え、スリーブ固定具は金属製板により構成され、前記固定部は、内側保持片の中間部分が外側保持片との基端側を連結した状態で打ち抜かれるとともに折り返されて外側保持片に対して直交する方向に延設されており、前記解除部は前記固定部を打ち抜くことにより形成されているので、一枚の板から、板金加工だけで除去部分を少なくしながら、解除部を形成できるので、省資源を図ることができる。
【００２２】
請求項８記載のスリーブ固定具によれば、請求項６または７の効果に加え、外側保持片は平滑面状であるので、固定具のスリーブへの脱着がスムーズに行える。
【図面の簡単な説明】
【００２３】
【図１】本発明のスリーブ固定具の一例を示すもので、（ａ）は、その平面図、（ｂ）は、その側面図、（ｃ）は（ａ）のＡＡ断面図、（ｄ）は、その前面図、（ｅ）は、その背面図、（ｆ）は、その外観斜視図
【図２】（ａ）〜（ｄ）は、図１のスリーブ固定具の使用態様を順に示す要部断面図
【図３】（ａ）〜（ｃ）は、図２に続いて図１のスリーブ固定具の使用態様を順に示す要部断面図
【図４】本発明のスリーブ固定具の他例を示すもので、（ａ）は、その側面図、（ｂ）は、その背面図、（ｃ）は、その底面図
【図５】本発明のスリーブ固定具の他例を示すもので、（ａ）は、その一例の背面図、（ｂ）は、（ａ）の側面図、（ｃ）は、さらに他例を示す縦断面図
【発明を実施するための形態】
【００２４】
以下に、本発明の実施の形態について、図面を用いて説明する。
【実施形態１】
【００２５】
図１は、本発明のスリーブ固定具の一例を示すもので、（ａ）は、その平面図、（ｂ）は、その側面図、（ｃ）は（ａ）のＡＡ断面図、（ｄ）は、その前面図、（ｅ）は、その背面図、（ｆ）は、その外観斜視図である。
【００２６】
このスリーブ固定具１０は、コンクリート壁Ｗ（図２、３参照）に貫通孔Ｈを形成するための、両端に開口した中空筒状の貫通孔形成スリーブＳを、型枠Ｋに固定するためのスリーブ固定具１０であって、以下の基本的構成を備えている。
【００２７】
１）固定具１０は、型枠Ｋに固定するための固定部１と、貫通孔形成スリーブＳの開口端ＳＥの周壁内側ＳＷに沿って固定部１から延設され、固定具１を開口端ＳＥに保持するための内側保持片２とを備えている。
【００２８】
２）内側保持片２は、周壁内側ＳＷに係止して、固定具１０がスリーブＳから離脱する方向に移動するのを規制する係止部３を備え、係止部３は、その先端側に周壁内側ＳＷに突き刺さる突刺部４を備えている。
【００２９】
３）内側保持片２には、型枠Ｋが除去されて露出した開口端ＳＥから工具を差し入れて操作することで、突刺部４の突刺状態を解除する解除部５が開口端ＳＥに臨むように設けられている。
【００３０】
上記各構成の内、このスリーブ固定具１０は、スリーブＳの開口端ＳＥから操作可能に、突刺部４の突刺状態を解除する解除部５が設けられている点を特徴とするが、そのための必須要件が、上記１），２），３）の３つの基本的構成である。
【００３１】
このスリーブ固定具１０は、上記基本的構成に加えて、更に、以下の構成を備えている。
【００３２】
４）内側保持片２は、先端側から基端側に向かうにつれて貫通孔形成スリーブＳの周壁内側ＳＷから離れており、内側保持片２と周壁内側ＳＷとの間に解除部５が設けられている。
【００３３】
５）解除部５は、貫通孔形成スリーブＳの周壁内側ＳＷと内側保持片２との間に形成される、工具を差し入れ可能な挿入空間である。
【００３４】
６）突刺部４は一対設けられ、一対の突刺部４の間に解除部５が設けられている。
【００３５】
７）突刺部４の基端が内側保持片２の先端である。
【００３６】
８）スリーブ固定具１０は、貫通孔形成スリーブＳの開口端ＳＥの周壁を内側保持片２との間に挟んで保持する、外側保持片６を備えている。
【００３７】
９）スリーブ固定具１０は金属製板により構成され、固定部１は、内側保持片２の中間部分が外側保持片６との基端側を基端部２ａにより連結した状態で打ち抜かれるとともに折り返されて外側保持片６に対して直交する方向に延設されており、解除部５は固定部１を打ち抜くことにより形成されている。
【００３８】
１０）外側保持片６は平滑面状である。
【００３９】
以下、より具体的に、このスリーブ固定具１０について、説明する。固定部１は、図１（ｃ）に示すように、その下面が型枠Ｋに接触するもので、この固定部１には、固定具１０を型枠Ｋに釘などの固定手段で固定する際に、この固定手段を保持し、ガイドする固定手段ガイド部１ａが設けられている。
【００４０】
この固定手段ガイド部１ａは、固定手段を仮保持し、施工の際、手を添えて固定手段を保持しておく必要がないようにするもので、固定具１０の型枠Ｋへの固定をやりやすくする。また、固定手段の不用意な落下を防止することができる。しかし、本発明のスリーブ固定具の必須の構成部品ではない。
【００４１】
このスリーブ固定具１０は、金属製の板から、平面状態で突刺部４を含む内側保持片２と、この内側保持片２と基端部２ａで連結された状態で外側保持片６との外形を打ち抜き形成し、その後、固定部１を打ち抜いて反転させ、内側保持片２の突刺部４を含めた屈曲加工、及び、外側保持片６の屈曲加工を行い、内側保持片２と外側保持片６との間にスリーブＳの開口端ＳＥの周壁を挟み込むようにしたものである。
【００４２】
こうして、この固定具１０によれば、一枚の金属板から、板金加工だけで除去部分を少なくしながら、解除部５を形成できるので、省資源を図ることができる。
【００４３】
突刺部４は、図１（ｃ）に示すように、内側保持片２の先端にその基端部分が設けられ、この内側保持片２の先端部分を外側保持片６から遠ざけるように屈曲させて、スリーブガイド部２ｂを形成することによって、この突刺部４の尖った先端部分が、挟み込んだスリーブＳの周壁内側ＳＷに喰い込むようになっている。
【００４４】
係止部３は、突刺部４と、内側保持片２の内、基端部２ａから挟み込むスリーブＳの周壁内側ＳＷへと近づくように傾斜している部分とを含む概念であり、この構成により、突刺部４をスリーブＳの周壁内側ＳＷに喰い込ませ、固定具１０が、スリーブＳから離脱するのを防止している。
【００４５】
解除部５は、固定部１を形成するために打ち抜かれて形成される空間であって、挟み込んだスリーブＳの開口端ＳＥから、係止部３を覗き見ることができる空間、つまり、開口端ＳＷ部分に一定の解除空間を形成し、ここから工具等を差し入れて、後述するように、突刺部４のスリーブＳの周壁内側ＳＷへの喰い込みを外し、固定具１０を簡単に取り外すことができるようにするものである。
【００４６】
また、この固定具１０によれば、突刺部４の基端が内側保持片２の先端とされ、突刺部４のある内側保持片２の先端側から基端側への傾斜部分の長さをより確保でき、解除部５をより大きく操作しやすいものとすることができる。
【００４７】
外側保持片６の上方には、補強固定用の補助固定孔６ａが設けられている。この補助固定孔６ａは、スリーブＳを挟み込んだ際に、スリーブＳと固定具１０との離脱防止をより確実にするために用いられるもので、必要に応じて設けられ、本発明の固定具の必須の構成要素ではない。また、この補助固定孔６ａは平滑面状の外側保持片６からの突起となるものではないので、固定具１０の打ち込み、抜きだしの障害とはなり難いものである。
【００４８】
以下、図２と図３とを用いて、本発明のスリーブ固定具１０の使用態様について説明するが、これより既に説明した部分と同じ部分には同じ符号を付して重複説明を省略する。図２（ａ）〜（ｄ）は、図１のスリーブ固定具の使用態様を順に示す要部断面図である。
【００４９】
まず、貫通孔形成スリーブＳに開口端ＳＥの周壁をスリーブ固定具１０の内側保持片２と外側保持片６とで挟むように固定具１０を押し嵌める。この際、外側保持片６の内側をスリーブＳの開口端ＳＥの外周に当て、固定具１０をスリーブＳ側に押し込むだけで、スリーブＳの開口端ＳＥの内側は、内側保持片２のスリーブガイド部２ｂにガイドされて、無理なく、内側保持片２と外側保持片６との間に挟み込まれる。
【００５０】
この挟み込みが完了すると、内側保持片２に設けられた突刺部４が、スリーブＳの周壁内側ＳＷに喰い込み、図２（ａ）に示すような状態となり、この突刺部４は、外側保持部６及び基端部２ａと協働して、固定具１０がスリーブＳから離脱する方向に移動するのを阻止する逆止め爪機能を発揮するので、固定具１０がスリーブＳから外れるのを確実に防止することができる。
【００５１】
この際、外側保持片６は、平滑面状で凸部分がないので、固定具１０でスリーブＳを挟み込む際の邪魔なものとなることがなく、この挟み込みを円滑にすることができる。また、突刺部４は左右一対で設けられているので、逆止め爪機能をより良く発揮することができる。
【００５２】
ついで、図２（ｂ）に示すように、釘などの固定手段７で、固定手段ガイド部１ａを用いて、固定具１０をコンクリート打設のための型枠Ｋに固定することで、貫通孔形成スリーブＳを型枠Ｋの必要な位置に固定する。この際、固定手段７が予め固定手段ガイド部１ａにより仮保持されるようなものであっても良い。
【００５３】
ついで、コンクリートを打設すると図２（ｃ）の状態となり、コンクリートが固化した後、型枠Ｋを取り外すと、図２（ｄ）の状態となる。
【００５４】
図３（ａ）〜（ｃ）は、図２に続いて図１のスリーブ固定具の使用態様を順に示す要部断面図である。
【００５５】
ここで、図３（ａ）に示すように、解除部５からドライバーなどの先の尖った棒状の工具Ｔを差し入れ、係止部３の突刺部４の基端部分に工具Ｔの先端を接触させ、内側保持片２がスリーブＳの周壁内側ＳＷから遠ざかるように、図中の斜線矢印方向に操作すると、内側保持片２が塑性変形し、突刺部４のスリーブＳの周壁内側ＳＷへの喰い込み状態が解除され、図３（ｂ）のような内側保持片２の解除状態が保持される。
【００５６】
この際、解除部５は、一対の突刺部４の間となる位置に設けられているので、一つの工具Ｔで一対の２か所の突刺部４の解除をすることができる。
【００５７】
突刺部４の解除が済むと、図３（ｂ）に示すように、固定手段７の先をペンチなどの挟持工具ＴＡで強く挟んで引っ張ると、スリーブ固定具１０をスリーブＳから簡単に取り外すことができ、図３（ｃ）に示すようにコンクリート壁Ｗ内に固定具１０を除去した状態の貫通孔Ｈを形成することができる。
【００５８】
この際も、コンクリート壁ＷとスリーブＳの外周との間に挟まれた外側保持片６は、平滑面状であって、凸部分がないので、固定具１０の引き抜きの障害となることが少ない。
【００５９】
使用後の固定具１０は、内側保持片２の屈曲状態を、図１（ｃ）のような状態に戻す事で、再利用できる。一方、固定具１０の素材がバネ鋼板のような弾性の大きいものの場合、内側保持具２の突刺部４の喰い込み解除を弾性範囲内とすることができる場合には、工具Ｔによる解除状態を保持しながら、挟持工具ＴＡで、固定具１０の取り外しをすることができ、その場合、スリーブ固定具１０はそのまま再利用可能となる。
【００６０】
貫通孔Ｈを形成している貫通孔形成スリーブＳは、紙管の場合には、スリーブＳも取り外してしまうことが多く、合成樹脂管の場合には、そのまま、貫通孔Ｈの保護周壁として残して使うことが多い。
【００６１】
スリーブＳが合成樹脂管の場合、突刺部４は、周壁内側ＳＷに喰い込むには至らない場合があるが、その場合でも、逆止め形状の突刺部４は、しっかりとスリーブＳの周壁内側ＳＷに引っ掛かり、確実にスリーブＳから固定具１０が外れるのを防止することができる。
【００６２】
つまり、このスリーブ固定具１０によれば、突刺部４と、そのスリーブＳへの喰い込みを解除する解除部５との組み合わせにより、固定具１０がスリーブＳから離脱するようなことがなく、型枠Ｋへの貫通孔形成スリーブＳの固定が確実に行われ、一方、コンクリート打設後は、固定具１０の取り外しが簡単にできる。
【実施形態２】
【００６３】
図４は、本発明のスリーブ固定具の他例を示すもので、（ａ）は、その側面図、（ｂ）は、その背面図、（ｃ）は、その底面図である。
【００６４】
このスリーブ固定具１０Ａは、図１のスリーブ固定具１０に比べ、金属製板から板金加工により成形されたものである点は共通するが、内側保持片２Ａが、固定部１Ａの中間部分を打ち抜くことにより形成され、突刺部４Ａがこうして形成された内側保持片２Ａの係止部３Ａの基端部分において、内側保持片２Ａの中央部分に打ち抜き屈曲形成されたものである点が異なっている。
【００６５】
つまり、このスリーブ固定具１０Ａは、図１のスリーブ固定具１０に比べ、固定部１Ａと内側保持片２Ａの内外関係が逆転したものに相当する。また、この固定具１０Ａは、突刺部４Ａが内側保持片２Ａの真ん中に一か所だけである点でも、固定具１０に比べて異なっている。
【００６６】
更に、このスリーブ固定具１０Ａにおいては、内側保持片２Ａの基端部２ｃには、解除部５Ａが、打ち抜きで設けられている。また、固定具１０と同様に、突刺部４Ａの上端側の内側保持片２Ａ部分は、スリーブガイド部２ｄとなっている。
【００６７】
よって、このスリーブ固定具１０Ａによれば、図１のスリーブ固定具１０と同様の効果が発揮される。
【００６８】
なお、この固定具１０Ａから解るように、突刺部４Ａの個数は、２個一対のものに限定されるものではない。
【実施形態３】
【００６９】
図５は、本発明のスリーブ固定具の他例を示すもので、（ａ）は、その一例の背面図、（ｂ）は、（ａ）の側面図、（ｃ）は、さらに他例を示す縦断面図である。
【００７０】
図５（ａ）、（ｂ）に示すスリーブ固定具１０Ｂは、図１のスリーブ固定具１０に比べ、外側保持片が無く、固定部１ＢがスリーブＳの内側、つまり、内側保持片２Ｂの内側に連続して形成されている点が異なっている。
【００７１】
このスリーブ固定具１０Ｂは、図１のスリーブ固定具１０に比べ外側保持片を備えておらず、内側保持片２Ｂは外側保持片との間にスリーブＳの周壁を挟み込むものではない。
【００７２】
固定具１０Ｂは、先に型枠Ｋの所定位置に、スリーブＳの開口端ＳＥの周壁内側ＳＷに沿うように複数個、少なくとも３か所固定設置され、その後に、内側保持片２Ｂの外側に貫通孔形成スリーブＳをはめ込んで、該スリーブＳを型枠Ｋの所定位置に固定するものである。
【００７３】
この際、傾斜している係止部３Ｂと、スリーブＳの開口端ＳＥの周壁内側ＳＷとの間の空間が解除部５Ｂを形成する。
【００７４】
よって、このスリーブ固定具１０Ｂによれば、先に複数個を型枠Ｋに固定しておくことで、図１のスリーブ固定具１０と同様の効果が発揮される。
【００７５】
図５（ｃ）に示すスリーブ固定具１０Ｃは、図５（ａ）、（ｂ）に示すスリーブ固定具１０ＢがスリーブＳの開口端ＳＥの周壁内側ＳＷの対向する位置となるように固定部１Ｃとして連結されたものである。
【００７６】
この構成に対応して、この固定具１０Ｃでは、対向する係止部３Ｂのそれぞれ近傍に、固定手段ガイド部１ａがそれぞれ設けられている。
【００７７】
よって、このスリーブ固定具１０Ｃによれば、図５（ａ）、（ｂ）のスリーブ固定具１０Ｂと同様の効果が発揮される。
【００７８】
なお、本発明のスリーブ固定具は、上記の実施形態に限定されず、特許請求の範囲に記載された範囲、実施形態の範囲で、種々の変形例、組み合わせが可能である。
【産業上の利用可能性】
【００７９】
本発明のスリーブ固定具は、固定具がスリーブにしっかり固定されて離脱するようなことがなく、型枠への貫通孔形成スリーブの固定が確実に行われ、一方、コンクリート打設後は、固定具の取り外しが簡単にできることが要請される産業分野、例えば、配線・配管工事用の貫通孔が必要なコンクリート壁への貫通孔形成スリーブの固定に用いることができる。
【符号の説明】
【００８０】
１〜１Ｃ      固定部
２〜２Ｂ      内側保持片
３〜３Ｂ      係止部
４、４Ａ      突刺部
５〜５Ｂ      解除部
６、６Ａ      外側保持片
１０〜１０Ｃ      スリーブ固定具
Ｋ            型枠
Ｈ            貫通孔
Ｓ            貫通孔形成スリーブ
ＳＷ          周壁内側
ＳＥ          開口端
Ｔ            工具
ＴＡ          挟持工具
Ｗ            コンクリート壁
【図１】
2010174525.tif 000003
【図２】
2010174525.tif 000004
【図３】
2010174525.tif 000005
【図４】
2010174525.tif 000006
【図５】
2010174525.tif 000007